(57)【要約】【課題】プリズム反射面に金属反射膜等を設ける必要なしに、プリズム部材に入射してきた光線を全て光電変換素子に到達させることができるイメージセンサを提供する。【解決手段】被読取画像から射出された光束の進路を、プリズム状透明部材により変化させて、光センサアレイで受光する仕組みになるイメージセンサにおいて、  上記被読取画像の１画素と、該１画素に対応する上記光センサアレイの１画素部分とを結ぶ光線のうち、レンズの中央を通過する光線を主光線としたとき、  上記プリズム状透明部材を構成する面のうち、上記光束の進路を変化させる面の法線と上記主光線とのなす角度を、上記プリズム状透明部材の臨界角と上記複層レンズアレイの視野角とを足した角度と同一かまたはそれよりも大きくする。【選択図】図４
2006343381.tif 000002
【特許請求の範囲】
【請求項１】
表面に１次元または２次元にレンズが配列された平板状レンズアレイプレートを２層以上積層した複層レンズアレイと、
上記複層レンズアレイの少なくとも前方、また必要に応じてその後方にも配置した１つまたは２つのプリズム状透明部材と、
１次元に光センサを配列した光センサアレイとをそなえ、
被読取画像から射出された光束の進路を、上記プリズム状透明部材により変化させて、上記光センサアレイで受光する仕組みになるイメージセンサにおいて、
上記複層レンズアレイの前方のプリズム状透明部材の光束入射面に直接、受光用のスリットを設けたことを特徴とするイメージセンサ。
【請求項２】
請求項１において、前記スリットが、スリット状透光部と遮光部とで構成されることを特徴とするイメージセンサ。
【請求項３】
請求項１において、前記スリットが、断面が台形で、その傾斜角が複合レンズアレイの視野角と同じかまたはそれより大きい角度を有する凸条で構成されることを特徴とするイメージセンサ。
【請求項４】
表面に１次元または２次元にレンズが配列された平板状レンズアレイプレートを２層以上積層した複層レンズアレイと、
上記複層レンズアレイの少なくとも前方、また必要に応じてその後方にも配置した１つまたは２つのプリズム状透明部材と、
１次元に光センサを配列した光センサアレイとをそなえ、
被読取画像から射出された光束の進路を、上記プリズム状透明部材により変化させて、上記光センサアレイで受光する仕組みになるイメージセンサにおいて、
上記被読取画像の１画素と、該１画素に対応する上記光センサアレイの１画素部分とを結ぶ光線のうち、２層以上のレンズの中央を通過する光線を主光線としたとき、
上記プリズム状透明部材を構成する面のうち、上記光束の進路を変化させる面の法線と上記主光線とのなす角度を、上記プリズム状透明部材の臨界角と上記複層レンズアレイの視野角とを足した角度と同一かまたはそれよりも大きくしたことを特徴とするイメージセンサ。
【請求項５】
請求項４において、前記複層レンズアレイおよび前記１つまたは２つのプリズム状透明部材からなる光学系全体を、複層レンズアレイを通過する主光線が被読取画像面と平行になるように傾けたことを特徴とするイメージセンサ。
【請求項６】
請求項４または５において、前記複層レンズアレイの上流側のプリズム状透明部材の光束入射面に直接、スリット状透光部と遮光部とで構成されるスリットを設けたことを特徴とするイメージセンサ。
【請求項７】
請求項４または５において、前記複層レンズアレイの上流側のプリズム状透明部材の光束入射面に直接、断面が台形で、その傾斜角が複合レンズアレイの視野角と同じかまたはそれ以上の角度を有する凸条で構成されるスリットを設けたことを特徴とするイメージセンサ。
【請求項８】
表面に１次元または２次元にレンズが配列された平板状レンズアレイプレートを２層以上積層した複層レンズアレイを挟んで、その前後に、被読取画像から射出された光束の進路および平板状レンズアレイプレートを通過した光束の進路を変化させる一対のプリズム状透明部材を接触配置すると共に、この接触配置により一体化した上記複層レンズアレイと一対のプリズム状透明部材とを、スリット状開口部をそなえる遮光ハウジングと光センサアレイをそなえる光センサ基板とで接触固定したことを特徴とするイメージセンサ。
【請求項９】
請求項８において、前記被読取画像の１画素と、該１画素に対応する上記光センサアレイの１画素部分とを結ぶ光線のうち、レンズの中央を通過する光線を主光線としたとき、
上記プリズム状透明部材を構成する面のうち、上記光束の進路を変化させる面の法線と上記主光線とのなす角度を、上記プリズム状透明部材の臨界角と上記複層レンズアレイの視野角とを足した角度と同一かそれよりも大きくしたことを特徴とするイメージセンサ。
【請求項１０】
請求項９において、前記複層レンズアレイおよびそれを挟む一対のプリズム状透明部材からなる光学系全体を、複層レンズアレイを通過する主光線が被読取画像面と平行になるように傾けたことを特徴とするイメージセンサ。
【請求項１１】
請求項８，９または10において、前記複層レンズアレイの上流側のプリズム状透明部材の光束入射面に直接、スリット状透光部と遮光部とで構成されるスリットを設けたことを特徴とするイメージセンサ。
【請求項１２】
請求項８，９または10において、前記複層レンズアレイの上流側のプリズム状透明部材の光束入射面に直接、断面が台形で、その傾斜角が複合レンズアレイの視野角と同じかまたはそれ以上の角度を有する凸条で構成されるスリットを設けたことを特徴とするイメージセンサ。
【請求項１３】
請求項１〜12のいずれかに記載のイメージセンサを備える画像読取装置。
【発明の詳細な説明】
【技術分野】
【０００１】
本発明は、イメージセンサおよびこのイメージセンサを有する画像読取装置に関するものである。
【背景技術】
【０００２】
イメージスキャナやマルチファンクションプリンタ（ＭＦＰ）のイメージスキャナ部には、イメージセンサが搭載されている。
密着型のイメージセンサ（コンタクトイメージセンサ）は、照明装置、正立等倍結像系および光電変換素子（ラインイメージセンサ）とで構成され、照明装置で被読取画像（原稿ともいう）を照射し、原稿から反射した光を結像光学系を介して光電変換素子にて検出する仕組みになっている。
そして、上記した正立等倍結像系としては、屈折率分布型ロッドレンズを多数配列させたロッドレンズアレイや平板型マイクロレンズアレイ（特許文献１参照）が用いられている。
【０００３】
ところで、近年、イメージスキャナやＭＦＰなどの画像読取装置を小型化するために、イメージセンサの小型化が要請されている。イメージセンサを小型化する方法としては、例えば正立等倍結像系にミラーを挿入して光路を折り曲げる方法が提案されている（特許文献２、３参照）。
しかしながら、ミラーを作製するためには、ミラー表面にアルミニウムを蒸着するだけでなく、アルミニウムの酸化防止のためにアルミニウム表面にさらにシリカ膜を設ける必要があるため、コストおよび生産性の面で問題があった。
【０００４】
そこで、発明者らは、ミラーの代わりにプリズム部材を用いることを提案した（特許文献４参照）。
しかしながら、この技術においても、プリズム部材の屈折率やレンズアレイの視野角が適切でない場合には、原稿からの反射光の一部がプリズム部材を透過してしまうため、光電変換素子にて十分な反射光が検出されないという問題があった。
【０００５】
【特許文献１】特開２００３−２０２４１１号公報
【特許文献２】特開平６−２１７０８０号公報
【特許文献３】特開２００３−２９５３４２号公報
【特許文献４】特開平７−１７５０１５号公報
【発明の開示】
【発明が解決しようとする課題】
【０００６】
上述したように、光路を折り曲げるために、ミラーの代わりにプリズム部材を用いたとしても、プリズム部材の屈折率やレンズアレイの視野角が適切でない場合は、原稿からの反射光の一部がプリズム部材を透過してしまい、光電変換素子において反射光を十分に検出できないという問題があった。
【０００７】
例えば、プリズム部材の屈折率がｎ＝1.53の場合、臨界角θCは40.8°となる。図１に示すように、プリズムの反射面における主光線の入射角αを45°とすると、α＞θCであるので、主光線は全反射してレンズアレイに向かう。
しかしながら、レンズアレイの視野角が７°である場合、最外側の光線の前記プリズム反射面への入射角βは、β＝45°−７°＝38°＜θCとなるため、プリズム反射面から透過する光が生じてしまう。
従って、全ての光を光電変換素子に到達させるためには、プリズム反射面に金属反射膜等を設けることが必要となるが、これではコストの上昇が免れ得ない。
図１中、番号１は、レンズアレイ、２はレンズアレイの前方に設置されたプリズム状透明部材、３はレンズアレイの後方に設置されたプリズム状透明部材、４は光センサアレイ、そして５が第１および第２のプリズム状透明部材の反射面に被覆された金属反射膜である。
【０００８】
本発明は、上記の問題を有利に解決するもので、プリズム反射面に金属反射膜等を設ける必要なしに、プリズム部材に入射してきた光線を全て光電変換素子に到達させることができるイメージセンサを提案することを第１の目的とする。
また、本発明は、より小型のイメージセンサを提供することを第２の目的とする。
さらに、本発明は、小型かつ受光画像がより鮮明な画像処理装置を提案することを第３の目的とする。
【課題を解決するための手段】
【０００９】
さて、発明者らは、上記の目的を達成すべく鋭意検討を重ねた結果、以下に述べる知見を得た。
ａ）プリズム反射面の法線と主光線のなす角度を、「プリズムの臨界角」と「レンズアレイの視野角」とを足した角度と同一かまたはそれよりも大きくすることにより、プリズム反射面に入射する光線の全てを全反射させることが可能となる。
ここに、プリズムの臨界角は、プリズム状透明部材の屈折率と空気の屈折率から一意的に決まる角度である。
また、視野角とは、以下の角度をいう。
被読取画像の１点から出射した光線は、複層レンズアレイ上の任意のマイクロレンズに入射した後、光センサアレイ上の、被読取画像の１点に対応する画素に入射する。この光センサアレイに入射する光線のうち、レンズ光軸から最も大きく傾いた光線の角度のことを視野角という。図１中、θで示される角度である。
【００１０】
ｂ）正立等倍結像系として平板型レンズアレイを使用する場合、ゴースト発生を防止するために、レンズアレイの前方にスリット部品を設置する必要があるが、プリズム部材に直接スリットを設けた場合には、部品数の減少のみならず、イメージセンサひいては画像処理装置の小型化が可能となる。
【００１１】
ｃ）プリズム状透明部材にレンズを収納する構造とし、またこれらの一体物をスリット状開口部をそなえる遮光ハウジングと光センサアレイそなえる光センサ基板とで接触固定する構造とすれば、従来のスリット＋レンズ＋ミラーから成る光学系と比較して各部品の位置決め精度が向上し、ノイズの少ない鮮明な画像を得ることができるだけでなく、画像処理装置の一層の小型化が可能となる。
本発明は、上記の知見に立脚するものである。
【００１２】
すなわち、本発明の要旨構成は次のとおりである。
（１）表面に１次元または２次元にレンズが配列された平板状レンズアレイプレートを２層以上積層した複層レンズアレイと、
上記複層レンズアレイの少なくとも前方、また必要に応じてその後方にも配置した１つまたは２つのプリズム状透明部材と、
１次元に光センサを配列した光センサアレイとをそなえ、
被読取画像から射出された光束の進路を、上記プリズム状透明部材により変化させて、上記光センサアレイで受光する仕組みになるイメージセンサにおいて、
上記複層レンズアレイの前方のプリズム状透明部材の光束入射面に直接、受光用のスリットを設けたことを特徴とするイメージセンサ。
【００１３】
（２）上記（１）において、前記スリットが、スリット状透光部と遮光部とで構成されることを特徴とするイメージセンサ。
【００１４】
（３）上記（１）において、前記スリットが、断面が台形で、その傾斜角が複合レンズアレイの視野角と同じかまたはそれよりも大きい角度を有する凸条で構成されることを特徴とするイメージセンサ。
【００１５】
（４）表面に１次元または２次元にレンズが配列された平板状レンズアレイプレートを２層以上積層した複層レンズアレイと、
上記複層レンズアレイの少なくとも前方、また必要に応じてその後方にも配置した１つまたは２つのプリズム状透明部材と、
１次元に光センサを配列した光センサアレイとをそなえ、
被読取画像から射出された光束の進路を、上記プリズム状透明部材により変化させて、上記光センサアレイで受光する仕組みになるイメージセンサにおいて、
上記被読取画像の１画素と、該１画素に対応する上記光センサアレイの１画素部分とを結ぶ光線のうち、２層以上のレンズの中央を通過する光線を主光線としたとき、
上記プリズム状透明部材を構成する面のうち、上記光束の進路を変化させる面の法線と上記主光線とのなす角度を、上記プリズム状透明部材の臨界角と上記複層レンズアレイの視野角とを足した角度と同一かまたはそれよりも大きくしたことを特徴とするイメージセンサ。
【００１６】
（５）上記（４）において、前記複層レンズアレイおよび前記１つまたは２つのプリズム状透明部材からなる光学系全体を、複層レンズアレイを通過する主光線が被読取画像面と平行になるように傾けたことを特徴とするイメージセンサ。
【００１７】
（６）上記（４）または（５）において、前記複層レンズアレイの上流側のプリズム状透明部材の光束入射面に直接、スリット状透光部と遮光部とで構成されるスリットを設けたことを特徴とするイメージセンサ。
【００１８】
（７）上記（４）または（５）において、前記複層レンズアレイの上流側のプリズム状透明部材の光束入射面に直接、断面が台形で、その傾斜角が複合レンズアレイの視野角と同じかまたはそれ以上の角度を有する凸条で構成されるスリットを設けたことを特徴とするイメージセンサ。
【００１９】
（８）表面に１次元または２次元にレンズが配列された平板状レンズアレイプレートを２層以上積層した複層レンズアレイを挟んで、その前後に、被読取画像から射出された光束の進路および平板状レンズアレイプレートを通過した光束の進路を変化させる一対のプリズム状透明部材を接触配置すると共に、この接触配置により一体化した上記複層レンズアレイと一対のプリズム状透明部材とを、スリット状開口部をそなえる遮光ハウジングと光センサアレイをそなえる光センサ基板とで接触固定したことを特徴とするイメージセンサ。
【００２０】
（９）上記（８）において、前記被読取画像の１画素と、該１画素に対応する上記光センサアレイの１画素部分とを結ぶ光線のうち、レンズの中央を通過する光線を主光線としたとき、
上記プリズム状透明部材を構成する面のうち、上記光束の進路を変化させる面の法線と上記主光線とのなす角度を、上記プリズム状透明部材の臨界角と上記複層レンズアレイの視野角とを足した角度と同一かそれよりも大きくしたことを特徴とするイメージセンサ。
【００２１】
（10）上記（９）において、前記複層レンズアレイおよびそれを挟む一対のプリズム状透明部材からなる光学系全体を、複層レンズアレイを通過する主光線が被読取画像面と平行になるように傾けたことを特徴とするイメージセンサ。
【００２２】
（11）上記（８）、（９）または（10）において、前記複層レンズアレイの上流側のプリズム状透明部材の光束入射面に直接、スリット状透光部と遮光部とで構成されるスリットを設けたことを特徴とするイメージセンサ。
【００２３】
（12）上記（８）、（９）または（10）において、前記複層レンズアレイの上流側のプリズム状透明部材の光束入射面に直接、断面が台形で、その傾斜角が複合レンズアレイの視野角と同じかまたはそれ以上の角度を有する凸条で構成されるスリットを設けたことを特徴とするイメージセンサ。
【００２４】
（13）上記（１）〜（12）のいずれかに記載のイメージセンサを備える画像読取装置。
【発明の効果】
【００２５】
本発明によれば、以下の効果を得ることができる。
プリズム反射面の法線と主光線のなす角度を、「プリズムの臨界角」と「レンズアレイの視野角」とを足した角度と同一かまたはそれより大きくすることにより、プリズム反射面に入射する光線の全てを全反射させることが可能となる。従って、プリズム反射面に金属反射膜等を設ける必要がなくなる。
また、正立等倍結像系として平板型レンズアレイを用いた場合、ゴースト発生を防止するために、レンズアレイ上部にスリット部品を設ける必要があるが、本発明では、プリズム部材に直接スリットを設ける構造としたので、部品数を少なくすることができ、また小型化も達成される。
さらに、プリズム部材にレンズを収納する構造として、プリズム部材とスリットを一体化することにより、従来のスリット＋レンズ＋ミラーから成る光学系と比較して各部品の位置決め精度が格段に向上し、ノイズの少ない鮮明な画像を得ることができる。また、より一層の小型化が達成される。
【発明を実施するための最良の形態】
【００２６】
以下、本発明を具体的に説明する。
本発明では、複層レンズアレイの前方のプリズム状透明部材（以下、第１のプリズム状透明部材という）の光束入射面に直接、受光用のスリットを設ける構造とする。
従来のように、第１のプリズム状透明部材の前方にスリット部品を設置した場合には、その分部品数が増大するだけでなく、小型化の妨げになっていたのであるが、本発明に従い、第１のプリズム状透明部材に直接スリットを設けるようにすれば、部品数の減少のみならず、装置の小型化が可能となる。
【００２７】
上記した受光用スリットの形成に際しては、次の２とおりの方法が好適である。
第１の方法は、第１のプリズム状透明部材の光束入射面に、図２に示すように、スリット状透光部６と遮光部７とを設け、スリットとして機能するスリット状透光部６以外の領域については光を通さないようにするものである。
なお、かような遮光部７の形成に際しては、その領域の表面粗さを粗くして光を散乱させる方法や、その領域に遮光性の塗膜を付与する方法が有利に適合する。
【００２８】
第２の方法は、第１のプリズム状透明部材の光束入射面に、図３に示すように、断面が台形で、その上底面がスリット状に延びる凸条８を設けることによって、スリットを形成するものである。
この方法によって、スリットの機能を発揮させるためには、図３(b)にθSで示す台形断面の傾斜角の大きさが重要で、この傾斜角θSを複合レンズアレイの視野角θと同じかまたはそれよりも大きい角度とする必要がある。というのは、傾斜角θSが視野角θよりも小さいと台形の斜面で光が反射され、この反射された光りが迷光となって、光センサアレイにおけるノイズとなり、受光精度を劣化させるからである。ここに、図３の形状を有するプリズム部材は樹脂の射出成形で作製することができる。
なお、この傾斜角θSがあまりに大きくなると、例えば図７に示すように、ハウジングの該当部とのはめ合い位置決めがしにくくなるため、傾斜角θSの大きさは視野角θよりも最大で30°程度大きい角度範囲とすることが好ましい。
【００２９】
また、本発明では、プリズム状透明部材を構成する面のうち、上記光束の進路を変化させる面の法線と上記主光線とのなす角度を、上記プリズム状透明部材の臨界角θCと上記複層レンズアレイの視野角θとを足した角度と同一かまたはそれよりも大きくすることによって、プリズム反射面に入射する光線の全てを全反射させることが可能となる。
【００３０】
以下、図４に示す具体例で説明する。図４において、構成の骨子は前掲した図１と共通するので同一の番号を付して説明する。
複層レンズアレイの前方の第１のプリズム状透明部材２の光束入射面の法線は、主光線と平行である。プリズムの屈折率はｎ＝1.53、従って臨界角θCは40.8°であり、プリズムの斜面（反射面）における主光線の入射角は49°とした。また、レンズアレイの視野角は７°とした。この場合、最外側の光線の斜面への入射角βは、β＝49−７＝41°＞θCとなり、全ての光線が斜面で全反射して、レンズアレイに導かれるようになった。なお、第１のプリズムの光束射出面とレンズアレイは、図４に示すように、原稿面と垂直ではなく、８°傾けて配置した。
複層レンズアレイの後方のプリズム状透明部材（以下、第２のプリズム状透明部材という）の光線入射面も、同様に８°傾け、プリズム反射面における主光線の入射角αを49°として、全ての光線が斜面で全反射するようにした。
【００３１】
このように、反射面の法線と主光線とのなす角度を、プリズム状透明部材の臨界角とレンズアレイの視野角とを足した角度よりも大きくした場合には、光学系が全体として傾き、その分ユニット全体の厚みが増大する不利が生じるので、反射面の法線と主光線とのなす角度は、プリズム状透明部材の臨界角とレンズアレイの視野角とを足した角度よりも最大で10°程度大きい角度範囲とすることが好ましい。
また、第１のプリズムの光線入射面には、視野角外の光線を遮光するようにスリット状開口部を設け、その以外の領域には遮光印刷を施した。
【００３２】
なお、マイクロレンズアレイにおいても、レンズ以外の領域は遮光膜を形成し、さらに少なくともレンズ第１面（第１のプリズムに最も近い面）には、厚みがレンズ径の50％以上ある遮光壁構造を形成することは、不要なゴースト光、フレア光を遮光する上で、とりわけ有利である。
【００３３】
上記の例では、プリズム状透明部材を、複層レンズアレイを挟んでその前後に２つ配置した場合について示したが、本発明はこれだけに限るものではなく、図５に示すように、複層レンズアレイの前方のみに１つだけ配置する構造としてもよい。
また、図４，５においても、スリットとしては、図２，図３に示した構造とすることが好ましい。
【００３４】
次に、本発明では、複層レンズアレイおよび第１，第２のプリズム状透明部材からなる光学系全体を、複層レンズアレイを通過する主光線が被読取画像面と平行になるように傾けることによって、装置の一層の小型化を図ることができる。
すなわち、前掲図４，５の場合は、レンズアレイ位置での主光線が原稿面から８°傾いているので、その分ユニット全体の厚みが増大する。
しかしながら、図６に示すように、第１のプリズム、レンズアレイ、第２のプリズムを一体として回転させ、レンズアレイ位置での主光線を原稿面と平行にすると、図４の光学系に比べて、ユニット全体の厚みを薄くすることが可能になる。
また、光学系を傾けたことによる主光線の傾きを補正するために、第１のプリズムの入射面および第２のプリズムの射出面を傾けているが、このような補正を行うことにより、原稿の浮きに対する読取画像の位置ずれを小さくすることができる。
【００３５】
なお、図６においても、スリットとしては、図２，図３のいずれかに示したスリット構造とすることが好ましい。
また、この場合も、図５と同様、プリズム状透明部材はレンズアレイの前方のみに１つだけ配置する構造としてもよいのは言うまでもない。
さらに、レンズアレイの遮光構造は、図４の場合と同様にすることが好ましい。
【００３６】
次に、本発明では、図７に示すように、第１および第２のプリズム状透明部材２，３に複層レンズアレイ１を収納する構造とし、またこれらの一体物をスリット状開口部をそなえる遮光ハウジングと光センサアレイをそなえる光センサ基板とで接触固定する構造とすることにより、各部品の位置決め精度が向上し、ノイズの少ない鮮明な画像を得ることができ、また装置の小型化も可能になる。
【００３７】
図７において、番号９は、第１のプリズム状部材２の外形形状の一部分に設けたマイクロレンズアレイを接触固定するための位置決め部分、10はＣＣＤセンサ基板11により接触固定するための位置決め部分である。これらは、全て一体で射出成型によって作製することができる。
第２のプリズム状部材２の外形形状の一部分にも同様に、複層レンズアレイ１を接触固定するための位置決め部分12と、ＣＣＤセンサ基板11により接触固定するための位置決め部分13を備えている。これらも、全て一体で射出成型により作製することができる。
そして、これらを全て囲うように、外側に遮光ハウジング14が設けられ、その内壁のしかるべき位置で、第１，第２のプリズム状部材は接触位置決め固定がなされるようになっている。
また、遮光ハウジング14には、第１のプリズム状部材２のスリット状透光部を露出させる開口部分15が設けられているが、図示したように、スリットとして図３に示した凸状スリット８を用いるようにすれば、この凸条８と開口部分15との嵌合を第１のプリズム状部材の位置決めに利用することもできる。
上述したような構造とすることによって、各部材が精度よく位置決めでき、またスリット開口部以外の部分に洩れ込む迷光を抑えることができる。
【００３８】
また、上記の画像読取装置において、レンズアレイの視野角が、たとえば９°のときはα＝51°とし、11°のときはα＝53°とするなど、β≧θｃとなるように、αの値を適当に設定することが好ましい。プリズム部材の屈折率が異なる場合も同様に適当な値に設定すればよい。
なお、プリズム、レンズアレイ、センサの位置は本実施例に限定されず、適宜設定することができる。例えば光学系全体の厚みを薄くするために、光学系全体を傾けてもよい。
【００３９】
また、これら全ての例において、受光用スリットについては、図２または図３に示したように、第１のプリズム状透明部材の光束入射面に直接設けることが好ましい。
【００４０】
そして、かようなイメージセンサを画像読取装置に搭載することにより、小型でかつ受光精度のよい画像読取装置を得ることができる。
【図面の簡単な説明】
【００４１】
【図１】光路の折り曲げ部材としてプリズム部材を用いたイメージセンサの模式図である。
【図２】プリズム状透明部材の光束入射面に設けた、スリット状透光部と遮光部とからなるスリットを示す図である。
【図３】プリズム状透明部材の光束入射面に設けた、断面が台形でその上底面がスリット状に延びる凸条からなるスリットを示す図である。
【図４】本発明に従う光学系をそなえるイメージセンサの模式図である。
【図５】プリズム状透明部材を複層レンズアレイの前方のみに１つだけ配置した構造になる本発明に従う光学系をそなえるイメージセンサの模式図である。
【図６】光学系全体を、複層レンズアレイを通過する主光線が被読取画像面と平行になるように傾けた本発明に従うイメージセンサの模式図である。
【図７】本発明に従う画像処理装置の模式図である。
【符号の説明】
【００４２】
１  レンズアレイ
２  第１のプリズム状透明部材
３  第２のプリズム状透明部材
４  光センサアレイ
５  金属反射膜
６  スリット状透光部
７  遮光部
８  凸条
９  第１のプリズム状部材に設けた位置決め部分
10  第１のプリズム状部材に設けた位置決め部分
11  ＣＣＤセンサ基板
12  第２のプリズム状部材に設けた位置決め部分
13  第２のプリズム状部材に設けた位置決め部分
14  遮光ハウジング
15  開口部分
【図１】
2006343381.tif 000003
【図２】
2006343381.tif 000004
【図３】
2006343381.tif 000005
【図４】
2006343381.tif 000006
【図５】
2006343381.tif 000007
【図６】
2006343381.tif 000008
【図７】
2006343381.tif 000009